(57)【要約】【課題】防滑性能に優れたテニス靴の提供。【解決手段】テニス靴のアウトソールは、ベースと多数の第一突起２４とを有している。それぞれの第一突起２４は、筋状である。この第一突起２４は、ジグザグである。この第一突起２４は、複数の第一要素３０と複数の第二要素３２とからなる。第一要素３０の法線Ｌ６の方向の、長さ線Ｌ１に対する角度αは、７０°以上１３５°以下である。第二要素３２の法線Ｌ７の方向の、長さ線Ｌ１に対する角度βは、７０°以上１３５°以下である。差（β−α）は、２０°以上６０°以下である。ベースの底面の、長さ方向においてトウサイドの端からの距離が長さの２５％以上４０％以下であり、幅方向においてインサイドの端からの距離が幅の１０％以上４５％以下であるゾーンに、第一突起２４が存在する。【選択図】図４
2016064090.tif 000002
【特許請求の範囲】
【請求項１】
アウトソールを備えており、
上記アウトソールが、ベースと、このベースの底面から下方に突出する多数の突起とを有しており、
上記アウトソールの底面視において、トウサイドからアウトサイド、ヒールサイド及びインサイドを経て上記トウサイドに戻る回転方向が正方向とされたとき、上記ベースの底面の、長さ方向において上記トウサイドの端からの距離が長さの２５％以上４０％以下であり、幅方向において上記インサイドの端からの距離が幅の１０％以上４５％以下であるゾーンが、下記数式（Ｉ）及び（II）を満たすパターンを有するテニス靴。
０．２０ＭＰａ ≦ Ｒｇ ≦ ０．４０ＭＰａ      （Ｉ）
０．４５ＭＰａ ≦ Ｒｓ ≦ ０．６５ＭＰａ      （II）
（上記数式（Ｉ）においてＲｇは、上記ヒールサイドの端から上記トウサイドの端に向かう直線に対する角度が１０５°である方向におけるパターンの剛性である。上記数式（II）においてＲｓは、上記ヒールサイドの端から上記トウサイドの端に向かう直線の方向におけるパターンの剛性である。）
【請求項２】
上記剛性ＲＳと上記剛性Ｒｇとの差（Ｒｓ−Ｒｇ）が０．１０以上である請求項１に記載のテニス靴。
【請求項３】
アウトソールを備えており、
上記アウトソールが、ベースと、このベースの底面から下方に突出する多数の筋状突起とを有しており、
それぞれの筋状突起の法線方向の、ヒールサイドからトウサイドに向かう直線に対する角度が７０°以上１３５°以下であり、
上記筋状突起が、上記ベースの底面の、長さ方向において上記トウサイドの端からの距離が長さの２５％以上４０％以下であり、幅方向において上記インサイドの端からの距離が幅の１０％以上４５％以下であるゾーンに存在するテニス靴。
【請求項４】
上記筋状突起の法線方向の、ヒールサイドからトウサイドに向かう直線に対する角度の、最大値と最小値との差が、２０°以上６０°以下である請求項３に記載のテニス靴。
【発明の詳細な説明】
【技術分野】
【０００１】
本発明は、テニス靴に関する。詳細には、本発明は、テニス靴のソールの改良に関する。
【背景技術】
【０００２】
テニスのラリーでは、プレーヤーは、コートの中を激しく移動しつつストロークを行う。プレーヤーは、相手のストロークからボールの方向を予測し、目標地点に向かって移動する。目標地点に近づくと、プレーヤーは足を固定し、ストロークの体勢を整える。この後は、プレーヤーの足は地面とスライドする。短い距離ではあるが、スライドによってプレーヤーの体は進む。目標地点に到達したプレーヤーは、ストロークを行う。次にプレーヤーは地面をキックし、次の目標地点へと移動する。
【０００３】
スライドにより、プレーヤーに加わる衝撃が緩和される。スライドにより、プレーヤーの足首の捻挫が抑制されうる。スライドの段階では、テニス靴と地面とが適度にスリップすることが好ましい。テニス靴には、スライド性能が要求される。一方、キックの段階では、テニス靴と地面とがスリップを起こさないことが好ましい。テニス靴には、防滑性能が要求される。特開平７−２１３３０４号公報には、三角形の突出部を備えたアウトソールを有するテニス靴が開示されている。この突出部は、防滑性能とスライド性能との両立に寄与する。
【先行技術文献】
【特許文献】
【０００４】
【特許文献１】特開平７−２１３３０４号公報
【発明の概要】
【発明が解決しようとする課題】
【０００５】
テニスのゲームにおいてプレーヤーは、主として左右に移動する。特開平７−２１３３０４号公報に開示されたテニス靴では、防滑性能は不十分である。このテニス靴において、アウトソールの剛性が調整されれば、防滑性能が向上しうる。しかし、剛性の調整はスライド性能を阻害する。
【０００６】
本発明の目的は、防滑性能に優れたテニス靴の提供にある。本発明の他の目的は、防滑性能とスライド性能との両方に優れたテニス靴の提供にある。
【課題を解決するための手段】
【０００７】
本発明に係るテニス靴は、アウトソールを備える。このアウトソールは、ベースと、このベースの底面から下方に突出する多数の突起とを有する。このアウトソールの底面視において、トウサイドからアウトサイド、ヒールサイド及びインサイドを経てトウサイドに戻る回転方向が正方向とされたとき、ベースの底面の、長さ方向においてトウサイドの端からの距離が長さの２５％以上４０％以下であり、幅方向においてインサイドの端からの距離が幅の１０％以上４５％以下であるゾーンは、下記数式（Ｉ）及び（II）を満たすパターンを有する。
０．２０ＭＰａ ≦ Ｒｇ ≦ ０．４０ＭＰａ      （Ｉ）
０．４５ＭＰａ ≦ Ｒｓ ≦ ０．６５ＭＰａ      （II）
この数式（Ｉ）においてＲｇは、ヒールサイドの端からトウサイドの端に向かう直線に対する角度が１０５°である方向におけるパターンの剛性である。この数式（II）においてＲｓは、ヒールサイドの端からトウサイドの端に向かう直線の方向におけるパターンの剛性である。
【０００８】
好ましくは、剛性ＲＳと剛性Ｒｇとの差（Ｒｓ−Ｒｇ）は、０．１０以上である。
【０００９】
他の観点によれば、本発明に係るテニス靴は、アウトソールを備える。このアウトソールは、ベースと、このベースの底面から下方に突出する多数の筋状突起とを有する。それぞれの筋状突起の法線方向の、ヒールサイドからトウサイドに向かう直線に対する角度は、７０°以上１３５°以下である。この筋状突起は、ベースの底面の、長さ方向においてトウサイドの端からの距離が長さの２５％以上４０％以下であり、幅方向においてインサイドの端からの距離が幅の１０％以上４５％以下であるゾーンに存在する。
【００１０】
好ましくは、筋状突起の法線方向の、ヒールサイドからトウサイドに向かう直線に対する角度の、最大値と最小値との差は、２０°以上６０°以下である。
【発明の効果】
【００１１】
本発明に係るテニス靴では、プレーヤーが地面を蹴ったときの、テニス靴と地面とのスリップを、突起が抑制する。このテニス靴は、防滑性能に優れる。
【図面の簡単な説明】
【００１２】
【図１】図１は、本発明の一実施形態に係るテニス靴が示された側面図である。
【図２】図２は、図１のテニス靴のアウトソールが示された底面図である。
【図３】図３は、図１のテニス靴のアウトソールが示された底面図である。
【図４】図４は、図２のアウトソールの第一突起の一部が示された拡大図である。
【図５】図５は、図４のＶ−Ｖ線に沿った拡大断面図である。
【図６】図６は、図２のアウトソールから切り出された試験片が示された拡大底面図である。
【図７】図７は、図６のVII−VII線に沿った拡大断面図である。
【図８】図８は、図７の試験片が用いられた引張試験の様子が示された模式図である。
【図９】図９は、他の試験片が示された断面図である。
【図１０】図１０は、図２のアウトソールから切り出された他の試験片が示された拡大底面図である。
【図１１】図１１は、サンプル１に係るテニス靴が示された底面図である。
【図１２】図１２は、サンプル６に係るテニス靴が示された底面図である。
【発明を実施するための形態】
【００１３】
以下、適宜図面が参照されつつ、好ましい実施形態に基づいて本発明が詳細に説明される。
【００１４】
図１に示されたテニス靴２は、アッパー４、紐６、インソール８、ミッドソール１０及びアウトソール１２を有している。図１において、符号Ｙで示されているのはテニス靴２の長さ方向であり、符号Ｚで示されているのはテニス靴２の高さ方向である。
【００１５】
アッパー４には、既知の材料が用いられる。天然皮革、合成皮革、人工皮革、織布、樹脂シート等が、アッパー４に用いられうる。アッパー４の内面に、内材が貼り付けられてもよい。典型的な内材は、織布である。アッパー４は、鳩目１４を有している。この鳩目１４に、紐６が通されている。
【００１６】
インソール８は、ミッドソール１０と積層されている。インソール８は、発泡体とこの発泡体を覆う織布とからなる。インソール８は、足と接触する。このインソール８は、テニス靴２を履く動作において、足の滑りに寄与する。インソール８はまた、履き心地に寄与する。インソール８が設けられなくてもよい。
【００１７】
ミッドソール１０は、発泡体からなる。ミッドソール１０は、好ましくは、多数の独立気泡を含む。着地時に、ミッドソール１０は圧縮変形を起こす。この圧縮変形により、衝撃が吸収される。ミッドソール１０における好ましい基材ポリマーは、エチレン−酢酸ビニル共重合体（ＥＶＡ）である。衝撃吸収性の観点から、ミッドソール１０の硬度は７０以下が好ましく、６５以下が特に好ましい。強度の観点から、硬度は４０以上が好ましい。硬度は、「ＪＩＳ  Ｋ  ６２５３」の規定に準拠して、タイプＡのデュロメーターにて測定される。
【００１８】
アウトソール１２は、ミッドソール１０の下側に位置している。アウトソール１２は、ミッドソール１０と接合されている。接合は、接着剤によって達成されうる。
【００１９】
図２には、アウトソール１２が示されている。図２において、符号Ｘで示されているのはテニス靴２の幅方向であり、符号Ｙで示されているのはテニス靴２の長さ方向である。図２において、左側がインサイドであり、右側がアウトサイドであり、上側がトウサイドであり、下型がヒールサイドである。このアウトソール１２は、左足用である。右足用のアウトソールは、左足用のアウトソール１２の形状が反転した形状を有する。
【００２０】
図２において符号Ｌ１で示されているのは、長さ線である。長さ線Ｌ１は、底面視において、アウトソール１２の輪郭内に画かれうる最長の線である。長さ線Ｌ１は、ヒールサイドの端１６からトウサイドの端１８にまで至っている。長さ線Ｌ１の長さは、符号Ｌｏで示されている。Ｙ方向（長さ方向）は、長さ線Ｌ１の方向と一致している。Ｘ方向（幅方向）は、長さ線Ｌ１の方向と直交している。
【００２１】
図２において符号Ｗｏで示されているのは、アウトソール１２の幅である。幅Ｗｏは、インサイドの端２０とアウトサイドの端２２との、Ｘ方向における距離である。
【００２２】
図２において符号Ｌ２で表されているのは、長さ方向におけるトウサイドの端１８からの距離が、長さＬｏの２５％である線である。符号Ｌ３で示されているのは、長さ方向におけるトウサイドの端１８からの距離が、長さＬｏの４０％である線である。符号Ｌ４で示されているのは、幅方向におけるインサイドの端２０からの距離が、幅Ｗｏの１０％である線である。符号Ｌ５で示されているのは、幅方向におけるインサイドの端２０からの距離が、幅Ｗｏの４５％である線である。直線Ｌ２、Ｌ３、Ｌ４及びＬ５に囲まれたゾーンＺｏには、拇指球相当箇所が含まれる。
【００２３】
図２において、トウサイドからアウトサイド、ヒールサイド及びインサイドを経てトウサイドに戻る回転方向は、正方向である。換言すれば、このアウトソール１２では、時計回りが正方向である。右足用のアウトソールでは、反時計回りが正方向である。
【００２４】
このアウトソール１２は、ベース２３と、多数の第一突起２４と、多数の第二突起２６とを有する。それぞれの第一突起２４は、ベース２３の底面から下方に突出している。この第一突起２４の底面形状は、振幅の小さな波である。第一突起２４は、ベース２３と一体的に成形されている。第一突起２４がベース２３とは別に成形されてもよい。ベース２３とは別に成形された第一突起２４は、接着剤によってベース２３に接合されうる。第一突起２４と、これに隣接する他の第一突起２４との間は、溝２８である。図３では、説明の便宜上、溝２８が黒く塗りつぶされている。
【００２５】
それぞれの第二突起２６は、ベース２３の底面から下方に突出している。この第二突起２６の底面形状は、振幅の大きな波である。第二突起２６は、ベース２３と一体的に成形されている。第二突起２６がベース２３とは別に成形されてもよい。ベース２３とは別に成形された第二突起２６は、接着剤によってベース２３に接合されうる。第二突起２６と、これに隣接する他の第二突起２６との間も、溝２８である。図３では、説明の便宜上、溝２８が黒く塗りつぶされている。
【００２６】
ベース２３、第一突起２４及び第二突起２６は、架橋ゴムからなる。好ましい基材ゴムとして、天然ゴム、イソプレンゴム、ブタジエンゴム、スチレン−ブタジエンゴム、アクリロニトリル−ブタジエンゴム及びウレタンゴムが例示される。ベース２３、第一突起２４及び第二突起２６が、合成樹脂又はエラストマーからなってもよい。ベース２３が架橋ゴムからなり、第一突起２４及び第二突起２６が合成樹脂又はエラストマーからなってもよい。
【００２７】
図４は、図２のアウトソール１２の第一突起２４の一部が示された拡大図である。図５は、図４のＶ−Ｖ線に沿った拡大断面図である。図５には、ベース２３の一部も示されている。図４に示される通り、第一突起２４は、筋状である。さらに第一突起２４は、ジグザグである。第一突起２４は、複数の第一要素３０と複数の第二要素３２とからなる。第一要素３０と第二要素３２とは、交互に並んでいる。
【００２８】
図４において符号Ｌ６で示されているのは、第一要素３０の法線である。法線Ｌ６は、第一要素３０と直交している。符号αで示されているのは、法線Ｌ６の方向の、長さ線Ｌ１に対する角度である。角度αの好ましい範囲は、７０°以上１３５°以下である。本発明者が得た知見によれば、プレーヤーが地面をキックするとき、ゾーンＺｏに大きな力がかかる。多くの場合において、この力の方向と長さ線Ｌ１とのなす角度は、７０°以上１３５°以下である。角度αが７０°以上１３５°以下である第一要素３０は、プレーヤーが地面をキックするときに、地面に引っかかる。この第一要素３０は、スリップを抑制する。特に、ハードコートでのプレーにおいて、この第一要素３０はスリップを抑制する。ハードコードでは、第一要素３０は地面には突き刺さらない。しかし、ハードコードの表面の微小な凸部に、第一要素３０が引っかかる。このテニス靴２は、ハードコートでの防滑性能に優れる。防滑性能の観点から、角度αは９５°以上１２５°以下が特に好ましい。
【００２９】
図４において符号Ｌ７で示されているのは、第二要素３２の法線である。法線Ｌ７は、第二要素３２と直交している。符号βで示されているのは、法線Ｌ７の方向の、長さ線Ｌ１に対する角度である。角度βの好ましい範囲は、７０°以上１３５°以下である。前述の通り、プレーヤーが地面をキックするとき、ゾーンＺｏに大きな力がかかる。多くの場合において、この力の方向と長さ線Ｌ１とのなす角度は、７０°以上１３５°以下である。角度βが７０°以上１３５°以下である第二要素３２は、プレーヤーが地面をキックするときに、地面に引っかかる。この第二要素３２は、スリップを抑制する。特に、ハードコートでのプレーにおいて、この第二要素３２はスリップを抑制する。ハードコードでは、第二要素３２は地面には突き刺さらない。しかし、ハードコードの表面の微小な凸部に、第二要素３２が引っかかる。このテニス靴２は、ハードコートでの防滑性能に優れる。防滑性能の観点から、角度βは９５°以上１２５°以下が特に好ましい。
【００３０】
角度αは、第一突起２４の法線方向の、長さ線Ｌ１に対する角度の、最小値である。角度βは、第一突起２４の法線方向の、長さ線Ｌ１に対する角度の、最大値である。図４から明かな通り、角度αと角度βとは、異なっている。従って、様々な方向にキックに対し、第一突起２４が防滑性能に寄与しうる。この観点から、差（β−α）は２０°以上が好ましく、３０°以上が特に好ましい。差（β−α）は、６０°以下が好ましい。
【００３１】
それぞれの要素の幅Ｗｅは、１．０ｍｍ以上が好ましく、１．５ｍｍ以上が特に好ましい。幅Ｗｅは、４．０ｍｍ以下が好ましい。それぞれの要素の長さＬｅは、幅Ｗｅの１．５倍以上１０倍以下が好ましい。
【００３２】
図２から明らかなように、ゾーンＺｏには、第一突起２４のみならず、第二突起２６も存在する。ゾーンＺｏの接地面は、第一突起２４の接地面３４と、第二突起２６の接地面とからなる。ゾーンＺｏの接地面の合計面積に対する、ゾーンＺｏに存在する複数の第一突起２４の接地面３４の面積の比率は、５０％以上が好ましく、７０％以上が特に好ましい。この比率が１００％であってもよい。
【００３３】
第一突起２４が、全体として波状の曲線であってもよい。この場合、この第一突起２４の法線方向は、徐々に変化する。この法線方向の、長さ線Ｌ１に対する角度の、最大値β及び最小値αが、測定される。
【００３４】
ゾーンＺｏは、下記数式（Ｉ）及び（II）を満たすパターンを有する。
０．２０ＭＰａ ≦ Ｒｇ ≦ ０．４０ＭＰａ      （Ｉ）
０．４５ＭＰａ ≦ Ｒｓ ≦ ０．６５ＭＰａ      （II）
この数式（Ｉ）においてＲｇは、長さ線Ｌ１に対する角度が１０５°である方向における、パターンの剛性である。数式（II）においてＲｓは、長さ線Ｌ１の方向における、パターンの剛性である。
【００３５】
以下、パターンの剛性Ｒｇの測定の方法が説明される。この測定では、アウトソール１２のゾーンＺｏから試験片が切り出される。図６は、試験片３６が示された拡大底面図である。試験片３６は、正方形である。正方形の一辺は、矢印Ｇで示される方向に延在している。矢印ＧがＹ方向に対してなす角度は、１０５°である。この試験片３６の一辺は、２５ｍｍである。
【００３６】
図７は、図６のVII−VII線に沿った拡大断面図である。図７には、ベース２３、多数の第一突起２４及び多数の溝２８が示されている。第一突起２４と溝２８とにより、パターンが形成されている。ベース２３は、上面３８を有している。第一突起２４は、接地面３４を有している。
【００３７】
図８は、図７の試験片３６が用いられた引張試験の様子が示された模式図である。引張試験では、第一プレート４０及び第二プレート４２が用意される。第一プレート４０及び第二プレート４２は、剛体である。第一プレート４０及び第二プレート４２は、ステンレススチールからなる。第一プレート４０には、接着剤によってベース２３の上面３８が接合されている。第二プレート４２には、接着剤によって第一突起２４の接地面３４が接合されている。
【００３８】
引張試験機（インテスコ）により、第一プレート４０に対して第二プレート４２が引っ張られる。引張の方向は、矢印Ｇ（図６参照）と一致している。引張速度は、１０ｍｍ／ｍｉｎである。引張により、試験片３６にせん断力がかかる。せん断力により、試験片３６が変形する。このせん断力が、底面視における試験片の面積（６２５ｍｍ２）で除された値が、０．０５ＭＰａであるときの試験片３６の変位（ｍｍ）が、ｘとされたとき、剛性Ｒｇは、下記の数式によって算出される。
Ｒｇ ＝ ０．０５ ／ ｘ
ベース２３は板状であり、引張によってもほとんど変形しない。剛性Ｒｇは、試験片３６のパターンに大きく依存する。
【００３９】
上記数式（Ｉ）に示される通り、剛性Ｒｇは０．２０ＭＰａ以上０．４０ＭＰａ以下である。剛性Ｒｇが０．４０ＭＰａ以下であるテニス靴２は、次の目標地点へと移動する目的でプレーヤーが地面をキックするときに、滑りにくい。このテニス靴２は、防滑性能に優れる。防滑性能の観点から、剛性Ｒｇは０．３５以下が特に好ましい。剛性Ｒｇが０．２０ＭＰａ以上であるテニス靴２は、次の目標地点へと移動する目的でプレーヤーが地面をキックするときに、応答特性がよい。この観点から、剛性Ｒｇは０．２５以上が特に好ましい。
【００４０】
図９は、他の試験片４４が示された断面図である。この試験片４４が切り出されるアウトソールでは、接地面からベース４６の上面４８までの高さが不均一である。このアウトソールでは、ベース４６の一部が削られて、試験片４４が切り出される。この試験片４４では、接地面５０から上面５２までの高さは一定である。この試験片４４では、上面５２は水平である。図９において二点鎖線で示された部分は、アウトソールから削られた部分である。この試験片４４により、剛性Ｒｇが測定される。
【００４１】
以下、パターンの剛性Ｒｓの測定の方法が説明される。この測定では、アウトソール１２のゾーンＺｏから試験片が切り出される。図１０は、試験片５４が示された拡大底面図である。試験片５４は、正方形である。正方形の一辺は、矢印Ｓで示される方向に延在している。矢印Ｓは、Ｙ方向と一致している。この試験片５４の一辺は、２５ｍｍである。
【００４２】
剛性Ｒｇの測定のときと同様、試験片５４が第一プレート４０及び第二プレート４２に接合される。この試験片５４が、引張試験に供される。引張の方向は、矢印Ｓ（図１０参照）と一致している。測定の条件は、剛性Ｒｇの測定の条件と同じである。引張により、試験片５４にせん断力がかかる。せん断力により、試験片５４が変形する。このせん断力が、底面視における試験片の面積（６２５ｍｍ２）で除された値が、０．０５ＭＰａであるときの試験片５４の変位（ｍｍ）が、ｘとされたとき、剛性Ｒｓは、下記の数式によって算出される。
Ｒｓ ＝ ０．０５ ／ ｘ
【００４３】
上記数式（II）に示される通り、剛性Ｒｓは０．４５ＭＰａ以上０．６５ＭＰａ以下である。剛性Ｒｓが０．４５以上であるテニス靴２は、目標地点に近づいてプレーヤーが足を固定したとき、スライドしやすい。このテニス靴２は、スライド性能に優れる。スライド性能の観点から、剛性Ｒｓは０．５０以上が特に好ましい。剛性Ｒｓが０．６５以下であるテニス靴２では、過剰なスライドが生じにくい。この観点から、剛性Ｒｓは０．６０以下が特に好ましい。
【００４４】
接地面からベースの上面までの高さが不均一であるアウトソールでは、ベースの一部が削られて試験片が切り出される。この試験片では、接地面から上面までの高さは一定である。この試験片では、上面は水平である。この試験片により、剛性Ｒｓが測定される。
【００４５】
防滑性能とスライド性能との両立の観点から、剛性Ｒｓと剛性Ｒｇとの差（Ｒｓ−Ｒｇ）は０．１０以上０．４０以下が好ましく、０．１５以上０．３０以下が特に好ましい。
【００４６】
このアウトソール１２では、ゾーンＺｏ内において、剛性Ｒｇが上記範囲内となる試験片が１つ以上切り出されうる。好ましくは、ゾーンＺｏ内のいずれから切り出された試験片においても、剛性Ｒｇは上記範囲内である。
【００４７】
このアウトソール１２では、ゾーンＺｏ内において、剛性Ｒｓが上記範囲内となる試験片が１つ以上切り出されうる。好ましくは、ゾーンＺｏ内のいずれから切り出された試験片においても、剛性Ｒｓは上記範囲内である。
【００４８】
アウトソール１２のアスカーＡ硬度は、５０以上７５以下が好ましい。この硬度が５０以上であるアウトソール１２はスライド性能に優れる。この観点から、この硬度は５３以上が特に好ましい。この硬度が７５以下であるアウトソール１２は、防滑性能に優れる。この観点から、この硬度は７０以下が特に好ましい。この硬度は、タイプＡのデュロメータによって測定される。測定には、厚みが２ｍｍ以上であるシート状の試験片が用いられる。測定時には、３枚の試験片が重ねられる。アウトソール１２のゴム組成物と同じゴム組成物が架橋されることで成形されたシートが、測定に用いられる。
【００４９】
［実験例１］
［サンプル１］
図１１に示されたアウトソール５６を有するテニス靴を製作した。このアウトソール５６の底面は、ゾーンＺｏに多数の筋状突起５８と多数の溝６０とを有している。筋状突起５８と溝６０とは、交互に配置されている。ぞれぞれの筋状突起５８の幅は、２．０ｍｍである。それぞれの溝６０の幅は、２．０ｍｍである。筋状突起５８は、第一要素及び第二要素を有している（図４参照）。第一要素の法線Ｌ６の角度αは、９０°である。第二要素の法線Ｌ７の角度βは、１３０°である。アウトソール５６の底面のうち、ゾーンＺｏ以外のゾーンは、平坦である。
【００５０】
［サンプル２−５］
角度α及びβを下記の表１に示される通りとした他はサンプル１と同様にして、サンプル２−５のテニス靴を得た。
【００５１】
［評価］
プレーヤーにテニス靴を着用させ、テニスのラリーをさせた。プレーヤーに、キックのときの防滑性能を、１０点を最高点として採点させた。１０名のプレーヤーの点数の平均値が、下記の表１に示されている。
【００５２】
【表１】
2016064090.tif 000003
【００５３】
表１に示される通り、法線の角度α及びβが７０°以上１３５°以下であるテニス靴は、防滑性能に優れている。
【００５４】
［実験２］
［サンプル６］
図１２に示されたアウトソール６２を有するテニス靴を製作した。このアウトソール６２の底面は、ゾーンＺｏに多数の筋状突起６４と多数の溝６６とを有している。筋状突起６４と溝６６とは、交互に配置されている。ぞれぞれの筋状突起６４の幅は、２．０ｍｍである。それぞれの溝６６の幅は、２．０ｍｍである。この筋状突起６４は、直線状である。この筋状突起６４の法線の、長さ線Ｌ１に対する角度αは、１０５°である。このアウトソール６２の剛性Ｒｇは０．３であり、剛性Ｒｓは０．５である。剛性Ｒｇ及びＲｓは、ゾーンＺｏの中心に位置する試験片にて測定された。アウトソール６２の底面のうち、ゾーンＺｏ以外のゾーンは、平坦である。
【００５５】
［サンプル７−１１］
突起の幅及び溝の幅を下記の表２及び３に示される通りとした他はサンプル６と同様にして、サンプル７−１１のテニス靴を得た。
【００５６】
［サンプル１２］
角度αを下記の表３に示される通りとした他はサンプル６と同様にして、サンプル１２のテニス靴を得た。
【００５７】
［防滑性能］
プレーヤーにテニス靴を着用させ、テニスのラリーをさせた。プレーヤーに、キックのときの防滑性能を、１０点を最高点として採点させた。１０名のプレーヤーの点数の平均値が、下記の表２及び３に示されている。
【００５８】
［スライド性能］
プレーヤーにテニス靴を着用させ、テニスのラリーをさせた。プレーヤーに、ストップのときのスライド性能能を採点させた。スライドの程度が最も適切である場合を１０点とした。ポイントが１０点より大きいほど、スライドの程度が大きすぎる。ポイントが１０点より小さいほど、スライドの程度が小さすぎる。
【００５９】
【表２】
2016064090.tif 000004
【００６０】
【表３】
2016064090.tif 000005
【００６１】
以上の評価結果から、本発明の優位性は明らかである。
【産業上の利用可能性】
【００６２】
本発明に係るテニス靴は、ハードコート、砂入り人工芝コート、クレーコート、グラスコート等において使用されうる。
【符号の説明】
【００６３】
２・・・テニス靴
４・・・アッパー
１２・・・アウトソール
２３、４６・・・ベース
２４・・・第一突起
２６・・・第二突起
２８・・・溝
３０・・・第一要素
３２・・・第二要素
３４、５０、５４・・・接地面
３６、４４・・・試験片
【図１】
2016064090.tif 000006
【図２】
2016064090.tif 000007
【図３】
2016064090.tif 000008
【図４】
2016064090.tif 000009
【図５】
2016064090.tif 000010
【図６】
2016064090.tif 000011
【図７】
2016064090.tif 000012
【図８】
2016064090.tif 000013
【図９】
2016064090.tif 000014
【図１０】
2016064090.tif 000015
【図１１】
2016064090.tif 000016
【図１２】
2016064090.tif 000017